【手続補正書】
【提出日】平成19年7月19日(2007.7.19)
【手続補正１】
【補正対象書類名】明細書
【補正対象項目名】特許請求の範囲
【補正方法】変更
【補正の内容】
【特許請求の範囲】
【請求項１】  記録ヘッドを記録媒体に対して走査しつつインクを吐出させて記録媒体に記録を行うインクジェット記録装置において、
前記記録ヘッドの走査によって記録媒体に記録されるバンド同士のつなぎ部近傍を複数に分割してなる各単位領域毎に、当該単位領域に打ち込まれるインクの量を示す情報を獲得する獲得手段と、
この獲得手段により獲得された各単位領域毎のインクの量を示す情報に基づいて、当該単位領域内のつなぎ部近傍に打ち込むインクの量を低減させるための処理を行う処理手段とを有し、
前記単位領域は２バンドに跨る領域であることを特徴とするインクジェット記録装置。
【請求項２】  記録ヘッドを記録媒体に対して走査しつつインクを吐出させて記録媒体に記録を行うインクジェット記録方法において、
前記記録ヘッドの走査によって記録媒体に記録されるバンド同士のつなぎ部近傍を複数に分割してなる各単位領域毎に、当該単位領域に打ち込まれるインクの量を示す情報を獲得する獲得工程と、
この獲得工程により獲得された各単位領域毎のインクの量を示す情報に基づいて、当該単位領域内のつなぎ部近傍に打ち込むインクの量を低減させるための処理を行う処理工程とを有し、
前記単位領域は２バンドに跨る領域であることを特徴とするインクジェット記録方法。
【請求項３】  記録ヘッドを記録媒体に対して走査しつつインクを吐出させて記録媒体に記録を行うインクジェット記録装置へのデータを処理するデータ処理方法において、
前記記録ヘッドの走査によって記録媒体に記録されるバンド同士のつなぎ部近傍を複数に分割してなる各単位領域毎に、当該単位領域に打ち込まれるインクの量を示す情報を獲得する獲得工程と、
この獲得工程により獲得された各単位領域毎のインクの量を示す情報に基づいて、当該単位領域内のつなぎ部近傍に打ち込むインクの量を低減させるための処理を行う処理工程とを有し、
前記単位領域は２バンドに跨る領域であることを特徴とするデータ処理方法。
【請求項４】  記録ヘッドを記録媒体に対して走査しつつインクを吐出させて記録媒体にバンド単位で記録を行うインクジェット記録装置において、
隣接するバンド同士のつなぎ部近傍を複数に分割してなる各単位領域毎に、当該単位領域内のインク吐出データの数をカウントするドットカウント手段と、
このドットカウント手段によるカウントの結果に基づいて前記単位領域毎に間引率を決定する決定手段と、
この決定手段によって決定された間引率に基づいて、インク吐出データに間引き処理を実行する間引き手段とを有し、
前記単位領域は２バンドに跨る領域であることを特徴とするインクジェット記録装置。
【請求項５】  前記ドットカウント手段は、前記単位領域内のインク吐出データの数をバンド毎に重みをつけてカウントすること特徴とする請求項４記載のインクジェット記録装置。
【請求項６】  前記ドットカウント手段は、前記単位領域内のインク吐出データの数を前記記録媒体を搬送する方向に重みをつけてカウントすること特徴とする請求項４記載のインクジェット記録装置。
【請求項７】  前記記録ヘッドは複数色のインクを吐出することを特徴とする請求項４記載のインクジェット記録装置。
【請求項８】  記録ヘッドを記録媒体に対して走査しつつインクを吐出させて記録媒体に記録を行うインクジェット記録装置において、
前記記録ヘッドの走査によって記録媒体に記録されるバンド同士のつなぎ部近傍を複数に分割してなる各単位領域毎に、当該単位領域に打ち込まれるインクの量を示す情報を獲得する獲得手段と、
この獲得手段により獲得された各単位領域毎のインクの量を示す情報に基づいて、当該単位領域内の間引き領域に打ち込むインクの量を低減させるための処理を行う処理手段とを有し、
前記間引き領域は、前記単位領域よりも小さいことを特徴とするインクジェット記録装置。
【請求項９】  記録ヘッドを記録媒体に対して走査しつつインクを吐出させて記録媒体に記録を行うインクジェット記録方法において、
前記記録ヘッドの走査によって記録媒体に記録されるバンド同士のつなぎ部近傍を複数に分割してなる各単位領域毎に、当該単位領域に打ち込まれるインクの量を示す情報を獲得する獲得工程と、
この獲得工程により獲得された各単位領域毎のインクの量を示す情報に基づいて、当該単位領域内の間引き領域に打ち込むインクの量を低減させるための処理を行う処理工程とを有し、
前記間引き領域は、前記単位領域よりも小さいことを特徴とするインクジェット記録方法。
【請求項１０】  記録ヘッドを記録媒体に対して走査しつつインクを吐出させて記録媒体に記録を行うインクジェット記録装置へのデータを処理するデータ処理方法において、
前記記録ヘッドの走査によって記録媒体に記録されるバンド同士のつなぎ部近傍を複数に分割してなる各単位領域毎に、当該単位領域に打ち込まれるインクの量を示す情報を獲得する獲得工程と、
この獲得工程により獲得された各単位領域毎のインクの量を示す情報に基づいて、当該単位領域内の間引き領域に打ち込むインクの量を低減させるための処理を行う処理工程とを有し、
前記間引き領域は、前記単位領域よりも小さいことを特徴とするデータ処理方法。
【請求項１１】  記録ヘッドを記録媒体に対して走査しつつインクを吐出させて記録媒体にバンド単位で記録を行うインクジェット記録装置において、
隣接するバンド同士のつなぎ部近傍を複数に分割してなる各単位領域毎に、当該単位領域内のインク吐出データの数をカウントするドットカウント手段と、
このドットカウント手段によるカウントの結果に基づいて前記単位領域毎に間引率を決定する決定手段と、
この決定手段によって決定された間引率に基づいて、前記単位領域内の間引き領域に対するインク吐出データに間引き処理を実行する間引き手段とを有し、
前記間引き領域は、前記単位領域よりも小さいことを特徴とするインクジェット記録装置。
【請求項１２】  前記決定手段は、前記間引き領域を複数の領域に分割してなる分割間引き領域毎に前記間引率を決定し、
前記間引き手段は、前記分割間引き領域毎に決定された間引率に基づいて間引き処理を実行することを特徴とする請求項１１記載のインクジェット記録装置。
【請求項１３】  前記決定手段は、ドットカウント手段によるカウントの結果と、前記つなぎ部からの距離とに応じて、前記間引き率を決定することを特徴とする請求項１１記載のインクジェット記録装置。
【請求項１４】  前記単位領域は２バンドに跨る領域であることを特徴とする請求項１１記載のインクジェット記録装置。
【請求項１５】  前記間引き領域は一方のバンドにのみ設定されることを特徴とする請求項１４記載のインクジェット記録装置。
【請求項１６】  前記間引き領域は記録媒体を排出する側のバンドにのみ設定されることを特徴とする請求項１４記載のインクジェット記録装置。
【手続補正２】
【補正対象書類名】明細書
【補正対象項目名】００１３
【補正方法】変更
【補正の内容】
【００１３】
【課題を解決するための手段】
本発明は上述の目的を達成するため、記録ヘッドを記録媒体に対して走査しつつインクを吐出させて記録媒体に記録を行うインクジェット記録装置において、前記記録ヘッドの走査によって記録媒体に記録されるバンド同士のつなぎ部近傍を複数に分割してなる各単位領域毎に、当該単位領域に打ち込まれるインクの量を示す情報を獲得する獲得手段と、この獲得手段により獲得された各単位領域毎のインクの量を示す情報に基づいて、当該単位領域内のつなぎ部近傍に打ち込むインクの量を低減させるための処理を行う処理手段とを有し、前記単位領域は２バンドに跨る領域であることを特徴とする。
【手続補正３】
【補正対象書類名】明細書
【補正対象項目名】００１４
【補正方法】変更
【補正の内容】
【００１４】
また、本発明は、数記録ヘッドを記録媒体に対して走査しつつインクを吐出させて記録媒体にバンド単位で記録を行うインクジェット記録装置において、隣接するバンド同士のつなぎ部近傍を複数に分割してなる各単位領域毎に、当該単位領域内のインク吐出データの数をカウントするドットカウント手段と、このドットカウント手段によるカウントの結果に基づいて前記単位領域毎に間引率を決定する決定手段と、この決定手段によって決定された間引率に基づいて、インク吐出データに間引き処理を実行する間引き手段とを有し、前記単位領域は２バンドに跨る領域であることを特徴とする。
【手続補正４】
【補正対象書類名】明細書
【補正対象項目名】００１５
【補正方法】変更
【補正の内容】
【００１５】
さらに、本発明は、記録ヘッドを記録媒体に対して走査しつつインクを吐出させて記録媒体に記録を行うインクジェット記録装置において、前記記録ヘッドの走査によって記録媒体に記録されるバンド同士のつなぎ部近傍を複数に分割してなる各単位領域毎に、当該単位領域に打ち込まれるインクの量を示す情報を獲得する獲得手段と、この獲得手段により獲得された各単位領域毎のインクの量を示す情報に基づいて、当該単位領域内の間引き領域に打ち込むインクの量を低減させるための処理を行う処理手段とを有し、
前記間引き領域は、前記単位領域よりも小さいことを特徴とする。
【手続補正５】
【補正対象書類名】明細書
【補正対象項目名】００１６
【補正方法】変更
【補正の内容】
【００１６】
さらにまた、本発明は、記録ヘッドを記録媒体に対して走査しつつインクを吐出させて記録媒体にバンド単位で記録を行うインクジェット記録装置において、隣接するバンド同士のつなぎ部近傍を複数に分割してなる各単位領域毎に、当該単位領域内のインク吐出データの数をカウントするドットカウント手段と、このドットカウント手段によるカウントの結果に基づいて前記単位領域毎に間引率を決定する決定手段と、この決定手段によって決定された間引率に基づいて、前記単位領域内の間引き領域に対するインク吐出データに間引き処理を実行する間引き手段とを有し、前記間引き領域は、前記単位領域よりも小さいことを特徴とする。